(57)【要約】【課題】特別な付加装置を設けることなくパチンコ玉やコインのような遊技媒体の受皿を照明する遊技機を提供する。【解決手段】払い出されたパチンコ球２１を受容する受皿２２と、裏面から冷陰極管５５によって照明された下パネル２６とを有する。受皿２２は、光透過性プラスチックで形成した透過窓部６０を備える。透明板５２ｂを備えた照明基板５２に冷陰極管５５を取付け、前記下パネル２６を裏面から照明するとともに前記透過窓部６０を透過して前記受皿２２の中の前記パチンコ球２１を照射する。【選択図】図２
2008183236.tif 000002
【特許請求の範囲】
【請求項１】
払い出された遊技媒体を受容する受皿と、前記受皿の下方に配置された装飾用の下パネルと、前記下パネルを裏面から照明する光源手段と、を備えた遊技機において、
前記受皿は、光透過性プラスチックで形成された透過窓部を有し、
前記光源手段は、照明制御可能であり、少なくとも一部を透明にした照明基板に取付けられ、前記透過窓部を透過して前記受皿内の前記遊技媒体を照射することを特徴とする遊技機。
【請求項２】
前記受皿の上方に配置された照光装置を備え、前記照光装置は、前記透過窓部と前記照明基板の透明部分を透過して前記下パネルを裏面から照明することを特徴とする請求項１記載の遊技機。
【発明の詳細な説明】
【技術分野】
【０００１】
本発明は、パチンコ球やコイン等の遊技媒体を使用して遊技を行う遊技機に関する。
【背景技術】
【０００２】
パチンコ機やスロットマシンでは、当たりになった時その入賞態様に応じた数のパチンコ玉あるいはコインが本体内から正面化粧パネルの下側にある受皿に払い出される。スロットマシンでは、受皿の上部にある正面化粧パネルが内部の蛍光灯により照明されているが、これは専ら装飾効果を奏するだけで、受皿を照明するまでには至らず、コイン払出口から受皿に払い出されたコインが視認し難いという問題があった。
【０００３】
下記特許文献１には、スロットマシンの正面化粧パネルが嵌め込まれたフレーム下端部の内部に導光板（例えば、アクリル樹脂板）を設け、その端面を外部に突出させ、導光板に入射する蛍光灯の光を内部反射の繰り返しで導光板の端面まで導くことにより、導光板の下に位置する受皿を照明するようにした構造が提案されている。
【０００４】
また下記特許文献２には、コイン払出口とその前方に設置した受皿とを有する遊技機において、コイン払出口の内側から受皿に向けて光を照射する照光手段を備えたスロットマシンの構造が提案されている。
【特許文献１】特開平０６−２６１９７３号公報
【特許文献２】特開平１１−１７８９８０号公報
【発明の開示】
【発明が解決しようとする課題】
【０００５】
しかしながら、上記の導光板による照明では、導光板に入射した光は内部反射の繰り返しによって減衰し、導光板の端面から放出された光は受皿を照明するには充分でなく、また、払出口の内側から受皿に向けて光を照射する照光手段を設けたものも、反射光式のものは光が弱くなり、直射光式のものは専用光源となってしまう等の問題があり、それぞれ付加設備のためのコストが必要となってしまう。
【０００６】
本発明の目的は、特別な付加装置を設けることなく、パチンコ玉やコインのような遊技媒体の受皿を底面あるいは側面から充分に照明することで遊技者が注目する遊技媒体払い出し時の演出効果を高め、払いだされた遊技媒体を視認させるだけでなく、強烈なインパクトのある遊技機を提供することである。
【課題を解決するための手段】
【０００７】
上記問題点を解決するにあたり、本発明の遊技機は、払い出された遊技媒体を受容する受皿と、裏面から照明制御可能な光源手段によって照明された下パネルとを備える。前記受皿の少なくとも一部分に光透過性プラスチックで形成した透過窓部を備える。前記光源手段を、前記下パネルと前記透過窓部との間に配置して前記下パネルだけでなく前記透過窓部も照射されるようにする。
【０００８】
前記光源手段は、前記下パネルを裏面から照射する位置に配置された複数の放電管の一部であって、照明基板に設けられた透明部分を通して前記透過窓部に光を当てる。あるいは、前記光源手段の一部を照明基板に設けられた透明部分を通して前記下パネルを裏面から照射する位置に配置する。前記照明基板は全体が透明樹脂であっても良い。
【０００９】
また、前記受皿の上方に照光装置を設けて前記受皿を照射するようにしても良い。照光装置の発する光は、前記受皿の中を照射し、中にあるパチンコ球を上から照明するとともに、透過窓部を透過し、前記透明部分を透過して前記下パネルを裏面から照明する。
【発明の効果】
【００１０】
遊技機に設けられた受皿は、遊技者が遊技中常に注目するものではなく、遊技者が当たりを出し遊技媒体が受皿に払い出される時に特に注目される。本発明の遊技機は、遊技媒体が払い出される受皿に裏側から光を照射して受皿内の遊技媒体の視認性を高め、更に、遊技者が特に注目する遊技媒体払い出しのタイミングに合わせて、発する光を強くしたり点滅したりすることで演出効果を高めることでできる構造として、強烈なインパクトのある遊技機を提供することができる。
【００１１】
また、もともと装飾のために設けられている下パネルの光源手段を、前記下パネルと前記透過窓部との間に配置することによって、前記下パネルだけでなく前記透過窓部をも照射するようにしたものであるから、増加する部材はなく、コストアップすることなしに実施することができる。
【発明を実施するための最良の形態】
【００１２】
図１に示すように、パチンコ機（遊技機）１は本体基部２を備えており、本体基部２の前面には上扉３と下扉４とからなる前面扉５が開閉自在に取り付けられている。また、本体基部２の裏面側には貯留タンク６が設けられている。上扉３には中央に扉開口７が形成され、裏面には扉開口７を覆うガラス扉８が上扉３に対して開閉自在に取り付けられている。上扉３の奥側には遊技盤９が設けられており、遊技盤９はガラス扉８を介して視認可能となっている。
【００１３】
遊技盤９の前面には図柄表示装置１０、始動入賞口（以下、「始動口」と称する）１１、通常入賞口（以下、「通常口」と称する）１２、アタッカ１３、アウト口１４が設けられている。なお詳しくは図示を省略するが遊技盤９の前面には遊技領域９ａが形成されている。遊技領域９ａには遊技釘や風車などが設けられている。下扉４は、払出口２０から払い出されたパチンコ球（遊技媒体）２１や図示しない球貸し機から貸与を受けたパチンコ球２１を貯留する受皿２２及びパチンコ球２１を遊技領域９ａに打ち出すとともにその打ち出し強さを調節する発射ハンドル２３を備えている。受皿２２の奥側には、受皿２２に貯留されたパチンコ球２１を回収する球通路２４が形成されている。球通路２４には、その下流側に向けて徐々に下るように傾斜が付けられている。受皿２２の上部周囲は化粧パネルであるエプロンパネル２５で覆われ、その下に下パネル２６が設けられている。
【００１４】
発射ハンドル２３が回動されると、後述する球発射装置４０が作動されて遊技盤９の遊技領域９ａにパチンコ球が打ち出される。遊技領域９ａに打ち出されたパチンコ球２１は始動口１１、通常口１２、アウト口１４のいずれかに入る。アウト口１４に入ったパチンコ球はハズレと扱いとされパチンコ機１の背面側から排出される。始動口１１や通常口１２にパチンコ球が入賞すると規定個数の賞球の払い出しが行われる。また、始動口１１にパチンコ球が入賞すると当たり又はハズレを決定する当たり抽選が行われ、図柄表示装置１０が作動される。
【００１５】
図柄表示装置１０は例えば液晶パネルから構成される表示パネル３０を備えている。表示パネル３０では３個の図柄が並列に並べて表示されている。図柄は数字の「０」〜「９」を示す１０種類の図柄からなる。始動口１１にパチンコ球２１が入賞すると表示パネル３０ではこれらの図柄が変動表示され、変動表示された図柄が停止表示されたときの図柄の組み合わせによって当たり抽選の結果が当たり又はハズレのいずれであったかが表示される。同一の数字が３つ揃う図柄の組み合わせは当たりとなり、それ以外の組み合わせはハズレとなる。
【００１６】
貯留タンク６の下方には、貯留タンク６から排出されたパチンコ球２１が流下する流下樋３６が設けられ、貯留タンク６に供給されたパチンコ球２１は排出口から流下樋３６に排出される。貯留タンク６には図示しない球検出スイッチが設けられ、貯留タンク６に貯留されたパチンコ球２１が減少して球検出スイッチがオフになると貯留タンク６内へパチンコ球２１が供給され、貯留されたパチンコ球２１が球検出スイッチをオンにすると供給が停止される。
【００１７】
図２に示すように、流下樋３６はパチンコ球２１の流下方向に沿った２条の通路３６ａ，３６ｂを備えている。流下樋３６の下方には球通路３７，３８が設けられている。流下樋３６の通路３６ａは球通路３７の入口に連通しており、流下樋３６の通路３６ｂは球通路３８の入口に連通している。球通路３７の下流側には賞球払出装置３９が設けられており、球通路３７を流下するパチンコ球２１は賞球払出装置３９に供給される。賞球払出装置３９が作動されると、賞球払出装置３９に供給されたパチンコ球２１が賞球として払出口２０から受皿２２に払い出される。他方、球通路３８の下流側には球発射装置４０にパチンコ球２１を流下させる発射球供給装置４１が設けられている。発射球供給装置４１が作動されるとパチンコ球２１が１個ずつ球発射装置４０に供給される。球発射装置４０が作動されると、球発射装置４０に供給されたパチンコ球２１が１個ずつ遊技盤９の遊技領域９ａに発射される。
【００１８】
受皿２２の球通路２４から回収されたパチンコ球２１は１個ずつ球送り装置４２に供給される。球送り装置４２が作動されると、球送り装置４２のパチンコ球２１は受皿２２の裏面側に設けられた回収樋４３に送出される。回収樋４３に送出されたパチンコ球２１は回収される。
【００１９】
賞球払出装置３９、球発射装置４０、発射球供給装置４１、球送り装置４２は、本体基部２の裏面に取り付けられたＣＰＵを含む制御基板（図示せず）によってそれぞれの作動が制御される。ＣＰＵは、発射ハンドル２３が回動されたときに入力される操作信号に応答して球発射装置４０及び球送り装置４２を作動させ、始動口１１や通常口１２で入賞が発生したときに入力される入賞信号に応答して賞球払出装置３９を作動させる。
【００２０】
受皿２２から球送り装置４２に供給されたパチンコ球２１は発射ハンドル２３が操作されると球検知センサ４４によって検知される。球検知センサ４４でパチンコ球２１が検知されると、パチンコ球２１の検知信号がＣＰＵに入力される。これに応答してＣＰＵは発射球供給装置４１を作動させる。
【００２１】
下扉４に設けられている下パネル２６は、例えば液晶パネルである。下パネル２６は裏面にある背板５１や一部を透明にした照明基板５２とともにパネルケース５０を構成している。光源手段である冷陰極管５４および５５は、照明基板５２に取り付けられ、パネルケース５０の内側から下パネル２６を照射している。
【００２２】
照明基板５２は、その一部に開口５２ａを設け、開口５２ａを透明板５２ｂで覆った構成となっている。前記冷陰極管５５は、透明板５２ｂの近傍に配置され、その発する光は前記下パネル２６を照射するとともに、透明板５２ｂを介してその外側に配置された前記受皿２２を外側から照射する。
【００２３】
前記受皿２２の一部は、光透過性プラスチックで形成された透過窓部６０で構成している。透過窓部６０は、前記透明板５２ｂと対向する位置に配置され、透明板５２ｂを介して冷陰極管５５の発する光の照射を受ける。これによって冷陰極管５５は受皿２２の内部をも照明することになり、受皿２２の内部への遊技者の注意を引く。受皿２２に排出されたパチンコ球２１も明るく照明されるので、パチンコ球２１も遊技者の注意を引く。
【００２４】
前記冷陰極管５４および５５は、前記制御基板から照明基板５２を介して照明制御可能に構成され、その照明光の点灯・点滅あるいは光の強弱などを変化させる。遊技者が当たりを出した時や、パチンコ球２１の払い出しタイミングに合わせて、前記冷陰極管５４および５５の発する光を変化させることで演出効果をより効果的にする。
【００２５】
下パネル２６の上部に配置されたエプロンパネル２５はその内側に光を反射する反射板６２が貼られており、反射板６２は、冷陰極管５５の発する光のうち透過窓部６０を直接照射しない光の迷光や透過窓部６０の表面反射光などを反射するレフ板の役目をし、これらのロス光を透過窓部６０に照射する。これによって冷陰極管５５の発する光を透過窓部６０に効率良く照射することができる。
【００２６】
上記実施形態では、冷陰極管５５をパネルケース５０の内側に設けたが、図３に示すように、冷陰極管５５をパネルケース５０の外側に設け、直接、透過窓部６０を照射するようにしても良い。この場合、下パネル２６は、冷陰極管５５の光を、透明板５２ｂを介して裏面から照射されることになる。
【００２７】
また、図４に示す別の実施形態では、前記受皿２２の上方に照光装置７０を設けて前記受皿２２を照射する構造とした。照光装置７０の発する光は、前記受皿２２の中を照射し、中にあるパチンコ球２１を上から照明するとともに、前記透過窓部６０を透過し、前記透明板５２ｂを透過して前記下パネル２６を裏面より照射する。これによって、前記下パネル２６は、冷陰極管５４，５５に加えて、照光装置７０によっても照明されることになり、より多様な演出をすることができる。
【図面の簡単な説明】
【００２８】
【図１】本発明の実施形態であるパチンコ機の外観斜視図である。
【図２】図１に示すパチンコ機の縦断面図である。
【図３】冷陰極管をパネルケースの外に配置した時のパチンコ機の縦断面図である。
【図４】別の実施形態である受皿の上方に照光装置を設けたパチンコ機の縦断面図である。
【符号の説明】
【００２９】
１  パチンコ機（遊技機）
９  遊技盤
２１  パチンコ球（遊技媒体）
２２  受皿
２６  下パネル
３０  表示パネル
５０  パネルケース
５２  照明基板
５２ｂ  透明板
５４，５５  冷陰極管（放電管）
６０  透過窓部
７０  照光装置
【図１】
2008183236.tif 000003
【図２】
2008183236.tif 000004
【図３】
2008183236.tif 000005
【図４】
2008183236.tif 000006